(57)【要約】【課題】日常的な着衣動作という行為の流れにおいて、服飾アイテムの情報登録が行えるドレッシングシステムを提供することにある。【解決手段】撮像カメラ４はミラー液晶６のハーフミラー部位を介してミラー液晶６前に立つ利用者Ｍの姿を撮影し、制御装置５は、撮像カメラ４で撮影した利用者Ｍの姿画像から利用者Ｍが装着している服飾アイテム情報を取得して該服飾アイテム情報を服飾アイテム画像データベースＤ４に自動登録する手段を備えている。【選択図】図１
2006331131.tif 000002
【特許請求の範囲】
【請求項１】
利用者の姿を撮影する撮像手段と、利用者の立ち位置と前記撮像手段との間に設けられ、前記撮像手段から利用者方向の光透過性により前記撮像手段による利用者の姿を撮影可能とし利用者側からは鏡として機能する鏡体と、前記撮像手段で撮影した利用者の姿画像から利用者が装着している服飾アイテム情報を取得して該服飾アイテム情報を記憶手段に自動登録する制御手段とを備えていることを特徴とするドレッシングシステム。
【請求項２】
前記制御手段には、撮影された服飾アイテムに含まれる色のヒストグラムを求める画像処理手段を備え、画像処理手段で求めたヒストグラムの色を当該服飾アイテム情報の属性として前記記憶手段に登録することを特徴とする請求項１記載のドレッシングシステム。
【請求項３】
前記制御手段には、利用者の発話音声を取得する音声取得手段と、前記音声取得手段から取得した音声より服飾アイテムに関連するキーワードを認識する音声認識手段とを備え、前記音声認識手段で認識した音声キーワードを当該服飾アイテムの属性として前記記憶手段に登録することを特徴とする請求項１記載のドレッシングシステム。
【発明の詳細な説明】
【技術分野】
【０００１】
本発明は、服飾アイテムの情報管理を行うドレッシングシステムに関するものである。
【背景技術】
【０００２】
従来服飾アイテムの情報を管理する装置としては、保有する服飾アイテムを一つ一つ、ビデオカメラ、電子カメラ、スキャナ等を使用して電子画像としてデータベースに蓄えて管理し、管理している服飾アイテムの組み合わせを画像により検討する機能を備えた服飾データ管理装置が提供されている（例えば、特許文献１）。
【特許文献１】特開平７−２４３１１２号公報（段落番号００２５）
【発明の開示】
【発明が解決しようとする課題】
【０００３】
特許文献１に開示の服飾データ管理装置は、利用者がデータベースに服飾アイテムを登録する場合には、服飾アイテムを一つ一つ電子カメラやビデオカメラの前に並べて撮影する必要があり、日常的な生活の流れとは別に撮像作業を必要とし、その上服飾アイテムの属性データはモニタ上の表示画面を用いて、ポインティングデバイスにより入力操作が必要なため、登録作業が煩雑であった。
【０００４】
本発明は、上述の問題点に鑑みて為されたもので、その目的とするところは、日常的な着衣動作という行為の流れにおいて、服飾アイテムの情報登録が行えるドレッシングシステムを提供することにある。
【課題を解決するための手段】
【０００５】
上述の目的を達成するために、請求項１の発明では、利用者の姿を撮影する撮像手段と、利用者の立ち位置と前記撮像手段との間に設けられ、前記撮像手段から利用者方向の光透過性により前記撮像手段による利用者の姿を撮影可能とし利用者側からは鏡として機能する鏡体と、前記撮像手段で撮影した利用者の姿画像から利用者が装着している服飾アイテム情報を取得して該服飾アイテム情報を記憶手段に自動登録する制御手段とを備えていることを特徴とする。
【０００６】
請求項１の発明によれば、鏡の前に立つという日常的な着衣動作という行為の流れの中で、利用者の姿を撮影することで、利用者の装着している服飾アイテムの情報を取得することができ、服飾アイテムを一つ一つ並べて撮影するという服飾アイテムの登録のための作業が不要となり、撮像後は利用者に手間をかけることなく、服飾アイテムの情報登録が自動的に行える。
【０００７】
請求項２の発明では、請求項１の発明において、前記制御手段には、撮影された服飾アイテムに含まれる色のヒストグラムを求める画像処理手段を備え、画像処理手段で求めたヒストグラムの色を当該服飾アイテム情報の属性として前記記憶手段に登録することを特徴とする。
【０００８】
請求項２の発明によれば、服飾アイテムに含まれるヒストグラムを自動的に求めてその色を属性として、人手をかけることなく自動的に登録することができる。
【０００９】
請求項３の発明では、請求項１の発明において、前記制御手段には、利用者の発話音声を取得する音声取得手段と、前記音声取得手段から取得した音声より服飾アイテムに関連するキーワードを認識する音声認識手段とを備え、前記音声認識手段で認識した音声キーワードを当該服飾アイテムの属性として前記記憶手段に登録することを特徴とする。
【００１０】
請求項３の発明によれば、利用者が服飾アイテムに関連するキーワードを発話するだけで服飾アイテムのキーワードを属性として、人手をかけることなく自動的に登録することができる。
【発明の効果】
【００１１】
本発明は、鏡の前に立つという日常的な着衣動作という行為の流れの中で、利用者の姿を撮影することで、利用者の装着している服飾アイテムの情報を取得することができ、服飾アイテムを一つ一つ並べて撮影するという服飾アイテムの登録のための作業が不要となり、撮像後は利用者に手間をかけることなく、服飾アイテムの情報登録が自動的に行えるいう効果がある。
【発明を実施するための最良の形態】
【００１２】
以下本発明を一実施形態により説明する。
【００１３】
本実施形態は図１に示すように服飾アイテムの収納場所であるクローゼット１と対応させたシステムであり、図示するようにクローゼット１の内部には上着等の服飾アイテム等を吊り下げするハンガー部２と、ハンドバックやスカーフ等の小物の服飾アイテムを収納する引き出し部３と、カラーのデジタルカメラからなる撮像カメラ４と、制御装置５とを設け、室内側に面したクローゼット１の壁に形成した開口部にはミラー液晶６を装着し、またこのミラー液晶６近傍の室内側壁面にはＲＦ型のＩＤタグ（ＩＣタグ）のリーダー装置７（リーダー／ライタ機能を備えているものでも良い）と、マイクＭＣと、設定／登録などの諸データを入力する液晶表示器とタッチパネルとからなる操作表示パネル８とを備え、立ち位置Ａの天井部にはマルチ光源からなる照明装置９を設けてある。
【００１４】
ここで、ミラー液晶６は後述する液晶表示装置６ａの表示面に金属蒸着などによりハーフミラーを形成したもので、液晶表示装置６ａの表示面と対応しないハーフミラー部位を介してクローゼット１内の撮像カメラ５によりミラー液晶６の前方の立ち位置Ａに立つ利用者Ｍの姿を撮影できるようになっている。また液晶表示装置６ａは利用者Ｍの姿を映すハーフミラー部位に対応した大きさの表示面を有するもので、ハーフミラーの鏡面に映される利用者Ｍの各部位に対応した位置に後述するように対応する服飾アイテムの画像を表示できるようになっている。
【００１５】
クローゼット１内のハンガー部２のハンガー吊り下げ位置にはＬＥＤによる発光表示部１０ａを設け、また各引き出し部３には同様にＬＥＤによる発光表示部１０ｂを設け、更に各ハンガー吊り下げ位置及び各引き出し部３にはＩＤタグのリーダー装置７’…（図２参照）を設けてある。
【００１６】
制御装置５は、撮像カメラ４により撮影して得られた画像データを取り込んで画像処理を行うとともに、システム全体の信号処理と制御処理とを担うものであり、図２に示すようにマルチ光源からなる照明装置９を制御することで所定の照明条件を生成する照明条件生成部５０と、この照明条件生成部５０により生成される照明条件により照明装置９を制御して所定の照明環境を創り出す照明制御部５１と、撮像カメラ４で撮影した利用者Ｍの全身画像から着衣している服装、アクセサリー等の服飾アイテムをエリア・パターンマッチングにより抽出する画像入力処理部５２と、画像入力処理部５２で得られた服飾アイテム画像における各色（例えばＲ（赤）、Ｇ（緑）、Ｂ（青））のヒストグラムを求めて服飾アイテムの色を決める画像ヒストグラム生成部５３と、服飾アイテムに附属しているＩＤタグからリーダー装置７、７’が読み取ったＩＤ情報の処理を行うリーダー処理部５４と、ミラー液晶６の液晶表示装置６ａに画像を表示させるための処理を行う画像表示部５５と、発光表示部１０ａ、１０ｂの点灯制御を行う点灯制御部５６と、服飾メーカー等の服飾アイテムを製造するメーカーに設置してあるサーバ１１ａや天気情報提供会社に設置してある天候情報提供用のサーバ１１ｂに対してインターネット等のネットワークＮＴを介して通信を行い、サーバ１１ａ、１１ｂにより提供される服飾アイテムの諸データや天候情報を取得するための通信機能処理部５７と、マイクＭＣを通じて利用者Ｍの発話音声を取得し、その取得された発話音声からキーワードを認識して入力処理を行う音声認識部５８と、制御装置５全体の情報処理と、制御処理を担う情報処理部５９と、記憶手段として設けられる外部記憶装置等に構築される各種データベース（着衣履歴データベースＤ１、着心地データベースＤ３、服飾アイテム画像データベースＤ４、収納場所管理データベースＤ５、服飾アイテム識別データベースＤ６、音声キーワードデータベースＤ７、更にパターンマッチングの画像データを登録しているパターンマッチング画像データベースＤ２）とを備えている。
【００１７】
ここで情報処理部５９は、操作表示パネル８，音声認識部５８、通信機能処理機能部５７、リーダー装置７，７’から取得する情報の処理、操作表示パネル８の表示処理、更に点灯制御部１７を通じての発光表示部１０ａ、１０ｂの点灯制御処理、画像表示部５５を通じて液晶表示装置６ａでの表示制御、更に照明条件生成部５０での条件生成動作の制御、画像入力処理部１３の処理動作の制御、画像ヒストグラム生成部５３の生成動作の制御、更に各データベースＤ１〜Ｄ７に対する情報の登録（格納）処理と、登録（格納）されている情報の検索読み出し処理とを行う機能とを備えている。
【００１８】
而して本システムが起動すると、制御装置５の情報処理部５９は、操作表示パネル８の表示面のメニュー画面には服飾アイテムの登録、服飾アイテムの検索の操作釦を表示させ、制御装置５の各部の動作を待機状態に制御する。図３はこの状態のフローチャートを示し、ステップＳ１で服飾アイテムの登録の操作釦が押されたか否かのチェックを行い、押された場合には後述する服飾アイテム登録処理（ステップＳ２）へ移行する。ステップＳ１でのチェックが否か、或いは服飾アイテム登録処理が終了すると、次のステップＳ３で服飾アイテムの検索の操作釦が押されたか否かのチェックを行い、押された場合には服飾アイテム検索処理（ステップＳ４）へ移行する。ステップＳ３でのチェックが否か、或いは服飾アイテム検索処理が終了すると、ステップＳ５ではクローゼット１に対する服飾アイテムの入出のチェックを行い、入出がある場合にはステップＳ６で服飾アイテムの入出処理を行い、服飾アイテムのクローゼット１への入出が無いか、入出があってその処理が終了すると、ステップＳ７でシステムの動作を終了するか否かのチェックを行い、システムの動作を終了させない場合にはステップＳ１へ戻り、以後上述の処理を繰り返す。
【００１９】
ところで、上述のステップＳ１において、服飾アイテムの登録の操作釦が押されて、登録が選択された場合には、制御装置５の情報処理部５９は図４のフローチャートで示す以下の制御と処理を行う。
【００２０】
つまりステップＳ１０では新規登録のための服飾アイテム属性の登録処理を開始する。この登録処理は、利用者Ｍがミラー液晶６に対して正対状態の利用者Ｍの正面の全身を撮像カメラ４がミラー液晶６のハーフミラーを介して撮影する（ステップＳ１１）。ここで予め利用者にはミラー液晶６に正対することと、決められた位置に立つことを予め取り扱い説明書などで立ち位置の説明を熟知させておくか、或いは音声や、操作入力パネル８での表示によりガイドするようにしておく。
【００２１】
この撮影されたカラー静止画からなる全身画像は情報処理部５の制御の下で、画像入力処理部５２に入力される。画像入力処理部５２には、全身画像が入力されると、パターンマッチング画像データベースＤ２から読み出したパターンマッチング用の全身姿の画像データとの位置合わせ処理を例えば頭部を基準に行う。上述のように撮影時の利用者の立ち位置を一定とすることで、撮像カメラ４の撮影倍率が一定となるため、位置合わせでは撮影倍率に対応した調整を行う必要がない。画像入力処理部５は、位置合わせ後には、頭部、首、上半身及び上肢、手首、下半身及び下肢、更に足の各部位のエリア切り出しを行い、このエリア切り出し後、夫々の部位と各部位に対応する各種服飾アイテム（例えば頭部であれば帽子）のパターンマッチング用画像データとのエリア・パターンマッチングを行い、各部位に装着されている服飾アイテムの抽出を行う（ステップＳ１２）。
【００２２】
ここでパターンマッチング画像データベースＤ２には位置合わせ用の人の全身姿の画像データ以外に、人体の各部位に装着される服飾アイテムや上半身から下半身に至る服飾アイテムなどパターンマッチング用の画像データをその種別と形状毎に登録しており、画像入力処理部５２は、これらパターンマッチング画像データと、撮影された各人体部位に相当するエリア画像とのパターンマッチングを行って抽出した服飾アイテムが、例えば大型のハンドバックであるのか、或いはセカンドバックであるのか等細かく種別を検出することができる。また上半身と下半身に連続するような丈の長いロングコートや丈の短いショートコート等の服飾アイテムの抽出も容易に行える。ここで例えば手首部位の場合の服飾アイテムの抽出の場合には、手首部位に対応して登録しているバックのサイズ（大、中、小）別のパターンマッチング画像を用いてマッチング処理を行い、サイズによるマッチング後、縦長、横長、正方形という形状別のパターンマッチング画像を用いてマッチング処理を行って、最終的に画像の抽出を行う。同様に頭部部位の服飾アイテムの抽出の場合には、頭部部位に対応して登録している帽子の鍔のサイズ（大、中、小）別のパターンマッチング画像を用いてマッチング処理を行って、最終的に画像の抽出を行う。また下半身部位の場合には、下肢の分岐位置から着衣されている服飾アイテムがスカートかズボン（パンツ）かを判定して例えばスカートの場合には、その丈のサイズ（長、短、普通）別のパターンマッチング画像を用いてマッチング処理を行い、サイズによるマッチング後、裾の拡がりが広い、狭いというように形状別のパターンマッチング画像を用いてマッチング処理を行って、最終的に画像の抽出を行う。このように身体の各部位に対応して登録してあるパターンマッチング画像のみを、当該部位に装着されている服飾アイテムの抽出時のマッチング処理に用いることで、正確で且つ短時間のマッチング処理で抽出することができるのでる。
【００２３】
さて画像入力処理部５２で抽出された服飾アイテムの画像に対しては、画像ヒストグラム生成部１４が各色のヒストグラムを求める処理を行い、服飾アイテムの色を決める（ステップＳ１３）。図５（ａ）、（ｂ）、（ｃ）はＲ（赤）、Ｂ（青）、Ｇ（緑）の３色によりヒストグラムを求めた例である。つまり図５（ａ）、（ｂ）、（ｃ）は画像を２５６階調のＲ、Ｇ、Ｂを用いて表した場合の濃度値の分布を示しており、図示例では青色の服飾アイテムを示す。勿論Ｒ、Ｇ、Ｂに限らず各種の表色系を指定して、ヒストグラムを作る処理を行っても良い。また、ヒストグラム処理に得た服飾アイテムの色を操作表示パネル８で表示させて利用者Ｍに提示して、その色が適当であるか否かの問いかけを行い、適当でない場合に利用者Ｍが操作表示パネル８の操作で服飾アイテム色を指定することもできるようにしても良い。また同時に服飾アイテムの属性として利用者個人の識別ＩＤを併せて登録することで夫々の服飾アイテムの利用者Ｍを特定できるようにする。この場合例えば予め登録している利用者各人の顔画像データと撮像された全身画像から抽出した顔画像とのテンプレートマッチングにより利用者個人を特定する。
【００２４】
更に登録のための撮影時にリーダー装置７が利用者Ｍが着衣している服飾アイテムにＩＤタグが付けられているか否かをチェックしている（ステップＳ１４）。そして服飾アイテムにＩＤタグが付けられている場合にはリーダー装置７はＩＣタグから読み取られたＩＤ情報をリーダー処理部５４を通じて情報処理部５９に送る。情報処理部５９はＩＤ情報を取り込む処理をステップＳ１５で行う。
【００２５】
このような処理を行った後、情報処理部５９は、服飾アイテムの抽出と、服飾アイテムの色決定と、利用者個人の特定と、ＩＤタグのＩＤ情報の受け取り処理が終了すると、各服飾アイテムに自動的に服飾ＩＤを付しながら、抽出した服飾アイテムの種別と、色と、利用者と、更にＩＤ情報とからなる表１に示す服飾アイテム識別データを服飾アイテム識別ベースＤ６に格納する処理を行う（ステップＳ１６）。
【００２６】
【表１】
2006331131.tif 000003
【００２７】
また抽出された服飾アイテム毎の画像データを服飾ＩＤに対応付けながら、情報処理部５９の制御の下で服飾アイテム画像データベースＤ４に格納保存し、同時に登録のために撮影した全身画像データを、その時に着衣している服飾アイテムの各服飾ＩＤを対応付けて表２のように画像ＩＤを付し、上記の服飾アイテム画像データベースＤ４に登録する（ステップＳ１７）。
【００２８】
【表２】
2006331131.tif 000004
【００２９】
尚服飾アイテムの識別データに書き込む利用者個人のデータは名前でも或いは予め利用者毎に登録している識別ＩＤを用いてもよい。
【００３０】
次いで情報処理部５９は操作表示パネル８の表示を通じて利用者Ｍに音声キーワードを付加するか否かを問う（ステップＳ１８）。これに応じて利用者Ｍが音声キーワードを付加することを操作表示パネル８を通じて選択すると、情報処理部５９は音声認識部５８を通じて音声キーワードの取得状態となる。
【００３１】
この音声キーワードの取得状態において、利用者Ｍは、服飾アイテムを検索する際に用いる服飾アイテムに関連付けられたキーワードをマイクＭＣに向けて発話する。マイクＭＣにより取得されたキーワードの発話音声は、音声認識部５に取り込まれた音声認識処理により認識され、その認識データ（例えばテキストデータ）を受け取った情報処理部５９は音声キーワードデータベースＤ７に登録するとともに服飾アイテム識別データベースＤ６の付加する処理を行う（ステップＳ１９）。
【００３２】
この音声キーワードの付加処理を行わない場合或いは付加処理が終了すると、服飾アイテムの新規登録処理が完了することになる（ステップ２０）。尚表３は音声キーワードデータベースＤ７への登録例を示す。
【００３３】
【表３】
2006331131.tif 000005
【００３４】
このようにして利用者Ｍは服飾アイテムを着衣したときにクローゼット１の前に立ち、上述の登録のための撮影を指示するだけで、自動的に利用者Ｍが着衣している各服飾アイテムの画像データが服飾アイテム画像データベースＤ４に自動登録されるとともに、服飾アイテムの識別データが属性データとともに服飾アイテムデータベースＤ６に自動的に登録されることになる。
【００３５】
尚服飾アイテム検索を行う差に着衣履歴や着心地のデータを利用する場合には、着衣履歴と、着心地の履歴とを夫々のデータベースＤ１、Ｄ３に登録する処理も行うようようにしても良い。
【００３６】
つまり着衣履歴は、服飾アイテム識別データベースＤ６によって管理される服飾アイテムについて、クローゼット１からの入出日時の履歴であって、実施形態では着衣開始日時と着衣終了日時とを着衣履歴としてデータベースＤ１に蓄える。この場合利用者Ｍが操作表示パネル８で服飾アイテムの入出力処理を選択し、その選択に応じて表示されるガイダンスに基づいてクローゼット１に収納する場合には服飾アイテムＩＤに関連付けて当該服飾アイテムを入れた日時を、またクローゼット１から出す場合には出した日時を入力する。またそのときの行き先と、利用者Ｍの名前を共に入力する。これらの入力があると、情報処理部５９はインターネットＮＴを介して天気情報提供会社の天候情報提供用のサーバ１１ｂからその日の大気と着衣開始から着衣終了までの平均気温を取得して蓄え、着衣履歴データベースＤ１に格納する処理を行う。このようにして服飾アイテム毎に着衣開始日時、着衣終了日時を記録し続け、過去の着衣履歴を参照することにより、その服飾アイテムがどの季節に着衣されているのかを求めることを可能とするのである。
【００３７】
表４はこの着衣履歴データベースＤ１に格納された着衣履歴データ例を示す。
【００３８】
【表４】
2006331131.tif 000006
【００３９】
尚上述に利用者Ｍの名前を入力する代わりに音声認識を用いて利用者Ｍを特定するようにしても良い。この場合予め当該システムを利用する利用者Ｍの名前と音声データを登録しておき、着衣履歴データを登録する際に、マイクＭＣに向かって発話を行い、この発話に対応する音声データをマイクＭＣから音声認識手段５９が取得し、この取得した音声データに一致する音声データを、登録している音声データから検出して利用者Ｍを特定するよう８にしても良い。
【００４０】
一方着心地データベースＤ３に格納される着心地データは、利用者Ｍが着衣後に服飾アイテムの着心地を数値化したもので、この着心地としては、体重や体脂肪率では判断がつきにくい体型の変化を表す指標として用い、この着心地指標を着衣後に履歴として保存していくことにより、日々の体型変化を読み取ることを可能とするものであり、体型変化のデータから食事献立メニューの提案や入浴方法の提案も利用者Ｍに行うことも可能としている。ここで着心地データベースＤ３に、着心地の履歴を保存する動作について説明する。
この着心地は、利用者Ｍが今回の着衣した該服飾アイテムの着心地を利用者自身が操作表示パネル８を操作して登録する。例えばこの服飾アイテムの大きさについて１０段階評価で表しており、「数字の大きいはうが体型より服飾アイテムが大きい（ゆとりがある）」「数字の小さいはうが体型より服飾アイテムが小さい（きつい）」と決めている。また、備考について具体的に服飾アイテムのどの部位についての評価であるのかが記載できることとしている。表５はこの着心地データベースＤ３に格納された着心地データ例を示す。
【００４１】
【表５】
2006331131.tif 000007
【００４２】
また、服飾アイテムをクローゼット１に収納する際に、その収納場所を利用者Ｍが登録することで、服飾アイテムの収納場所を検索することができるようにするために、本実施形態では、ＩＣタグが付いている服飾アイテムについては、情報処理部５９の制御の下で収納場所管理データベースＤ５に自動的に登録できるようになっている。
【００４３】
つまり、服飾アイテムをハンガーによりハンガー部２の適所に吊り下げたり、或いは引き出し部３に収納した場合に、夫々の場所に設けたリーダー装置７’が吊り下げられた或いは収納された服飾アイテムに付けられているＩＣタグのＩＤ情報を読み取り、この読み取られたＩＤ情報はリーダー処理部５４を通じて情報処理部５９に送られる。情報処理部５９は取得したＩＤ情報に基づいて、当該ＩＣタグを付けている服飾アイテムに対応した服飾アイテムＩＤと、リーダー装置７’に対応付けている収納場所を示す収納場所ＩＤと、内蔵時計から得られた収納日時とを収納場所管理データベースＤ５に格納する処理を行う。表６はこの収納場所管理データベースＤ５のデータ登録例を示す。
【００４４】
【表６】
2006331131.tif 000008
【００４５】
而して、上述のように各種データがデータベースＤ１〜Ｄ７に格納、登録されている状態で、利用者Ｍが所望の服飾アイテムをミラー液晶６の液晶表示装置６ａで表示させたい場合には、まず操作表示パネル８で表示されているメニューから検索を選択する。この選択により、制御装置５は図６に示すフローチャートによる服飾アイテム検索処理を開始する。
【００４６】
まず情報処理部５９は、操作表示パネル８を通じて利用者Ｍに服飾アイテム属性を入力するか否かを問い（ステップＳ３０）、利用者Ｍがこの問いに答えて属性による検索条件を入力すると（ステップＳ３１）、情報処理部５９は、検索条件追加の処理を行う（ステップＳ３２）。この場合、入力可能な検索条件は、服飾アイテム識別データベースＤ６のアイテム種別、色等の検索条件となる。
【００４７】
次に情報処理部５９は、操作表示パネル８を通じて利用者Ｍに着衣履歴を指定するか否かを問い（ステップＳ３３）、利用者Ｍがこの問いに答えて着衣履歴条件を入力すると（ステップＳ３４）、情報処理部５９は、検索条件追加の処理を行う（ステップＳ３５）。
【００４８】
この場合、日時（月日）、天候、平均気温の３要素に優先順位を設定した検索条件を入力することも可能であって、月日から服飾アイテムを検索することにより、昨年より以前の同時期に着衣した服飾アイテムを抽出することができる。また月日から検索することにより、季節柄に適した服飾アイテムを効率的に抽出することもできる。更に春夏秋冬や誕生日、正月など年次定例行事などに適した服飾アイテムを抽出することもできる。
【００４９】
更に天候情報から服飾アイテムを検索することにより、雨や雪などの気象に適した服飾アイテムを抽出することもでき、更に雨や雪などのときに着衣すべき服飾アイテムを抽出することもでき、また更に平均気温から服飾アイテムを検索することにより、過去の平均気温と服飾アイテムの関係から、その気温に適した服飾アイテムを抽出することもでき、また当日の気温に適した服飾アイテムを抽出することもできる。つまりこのくらいの気温のときに適している服飾アイテムを注することができる。
【００５０】
また更に情報処理部５９は、操作表示パネル８を通じて利用者Ｍに着心地条件を指定するか否かを問い（ステップＳ３６）、利用者Ｍがこの問いに答えて着心地検索条件を入力すると（ステップＳ３７）、情報処理部５９は、検索条件追加の処理を行う（ステップＳ３８）。
【００５１】
更に情報処理部５９は、操作表示パネル８を通じて利用者Ｍに音声キーワードを指定するか否かを問い（ステップＳ３９）、利用者Ｍがこの問いに答えて音声検索条件を入力すると（ステップＳ４０）、情報処理部５９は、検索条件追加の処理を行う（ステップＳ４１）。
【００５２】
以上のようにして検索条件が入力されると、情報処理部５９は服飾アイテム検索処理を開始する（ステップＳ４２）。
【００５３】
尚検索条件として利用者Ｍを特定することで、当該利用者Ｍに対応した服飾アイテムのみを検索範囲と絞ることができるため、条件入力前或いは入力後に操作表示パネル８によって利用者Ｍの識別ＩＤを入力する。勿論音声認識部５８を用い、利用者Ｍの発話音声から個人特定を行うようにしても良い。
【００５４】
而して上記の全ての検索条件が入力されるとすると、ます情報処理部５９は検索条件に対応した各データベースＤ１、Ｄ２、Ｄ３，Ｄ６，Ｄ７から検索条件に最も合致する服飾アイテムを抽出し、その抽出した服飾アイテムの服飾アイテムＩＤに対応する各服飾アイテムの画像データを服飾アイテム画像データベースＤ４から抽出し、その抽出した服飾アイテム画像データを画像表示部５５に送り、該画像表示部５５により当該服飾アイテムの画像をミラー液晶６の液晶表示装置６ａに表示させる（ステップＳ４３）。この場合、ミラー液晶６の前に立つ利用者Ｍのハーフミラーの鏡面に映る姿の各部位に対応した液晶表示装置６ａの画面位置に夫々の服飾アイテムの画像を表示させる。
【００５５】
ここで抽出された服飾アイテムがＩＣタグ付きのものであって、クローゼット１に収納されている場所が収納場所管理データベースＤ５に登録されている場合には、液晶表示装置６ａにて収納場所を表示させる。更に情報処理部５９は点灯制御部５６を通じて当該服飾アイテムが収納されている場所の発光表示部１０ａ或いは１０ｂを点灯させる。
【００５６】
以上によって制御装置５による服飾アイテム検索処理が終了することになる。利用者Ｍは、液晶表示装置６ａの表示を見ることで、入力した検索条件に合致した服飾アイテムを知ることができるとともに、その服飾アイテムが収納されている場所も同時に判り、特に発光表示部１０ａ又は１０ｂの点灯によって収納場所が直感的（視覚的）に判るため、クローゼット１内に入れば利用者Ｍは服飾アイテムを迷うこと無く取り出すことができる。また利用者Ｍは、液晶画面装置６ａに映し出される服飾アイテムが納得できない場合には、納得できる服飾アイテムが表示されるまで、検索条件の入れ直しによって制御装置５に検索をやり直すこともできる。
【００５７】
尚本実施形態では服飾アイテム毎に操作表示パネル８を用いて利用者Ｍがデータ入力や検索条件などの入力や操作を行うようにしているが、利用者Ｍから発話されたキーワードを音声認識部５８で認識して入力を取り込むようにしてよい。
【図面の簡単な説明】
【００５８】
【図１】一実施形態のシステムの概略全体構成図である。
【図２】一実施形態に用いる制御装置の回路構成図である。
【図３】一実施形態の全体的な動作説明のフローチャートである。
【図４】一実施形態の服飾アイテム登録処理のフローチャートである。
【図５】一実施形態のヒストグラムの生成例を示し、（ａ）は赤色のヒストグラム例図、（ｂ）は緑色のヒストグラム例図、（ｃ）は青色のヒストグラム例図である。
【図６】一実施形態の服飾アイテムの検索処理のフローチャートである。
【符号の説明】
【００５９】
１  クローゼット
２  ハンガー部
３  引き出し部
４  撮像カメラ
５  制御装置
６  ミラー液晶
６ａ  液晶表示装置
７  リーダー装置
８  操作表示パネル
９  照明装置
１０ａ、１０ｂ  発光表示部
１１ａ、１１ｂｂ  サーバ
Ｍ  利用者
ＭＣ  マイク
ＮＴ  インターネット
【図１】
2006331131.tif 000009
【図２】
2006331131.tif 000010
【図３】
2006331131.tif 000011
【図４】
2006331131.tif 000012
【図５】
2006331131.tif 000013
【図６】
2006331131.tif 000014